(57)【要約】【課題】オーディオＣＤ以外のメディアに記憶された楽曲情報に基づいて歌詞カードの画像形成処理を可能とし得て、しかも、楽曲情報が完全に一致しない場合であっても歌詞カードの画像形成処理をユーザーの選択によって画像形成処理することができる画像形成装置を提供する。【解決手段】インターフェース部１１を介してネットワーク接続され、記憶媒体等に記憶された情報が読取部１２で読み取られ、その情報中に楽曲情報が含まれて場合にネットワークを経由して歌詞情報をダウンロードすると共にそのダウンロードした歌詞情報と楽曲情報とに基づいて歌詞情報の信頼性を制御回路部１７で比較し、その比較結果を表示部７に表示し、表示部７で表示された比較結果に基づいて操作部８をユーザーが操作して歌詞情報に基づく歌詞の画像形成処理が画像形成部１６で実行される。【選択図】      図２
2008256887.tif 000002
【特許請求の範囲】
【請求項１】
ネットワーク接続のためのインターフェース部と、カード又はスティック型の記憶媒体或いはデジタルオーディオプレーヤに記憶された情報を読み取る読取部と、該読取部で読み取った情報中に楽曲情報が含まれているか否かを識別する楽曲情報識別部と、該楽曲情報識別部で識別した楽曲情報に基づいて前記ネットワークを経由して歌詞情報を取得するダウンロード部と、該ダウンロード部でダウンロードした歌詞情報と前記楽曲情報とに基づいて前記歌詞情報の信頼性を比較する比較部と、該比較部での比較結果を表示する表示部と、該表示部で表示された比較結果に基づいてユーザー操作される操作部と、該操作部の操作結果に基づいて前記歌詞情報に基づく歌詞の画像形成処理を実行する画像形成部とを備えていることを特徴とする画像形成装置。
【請求項２】
前記表示部には、前記比較結果を表示した後に前記歌詞情報の一部が表示可能であることを特徴とする請求項１に記載の画像形成装置。
【請求項３】
前記歌詞情報を記憶する記憶部を備えていることを特徴とする請求項１又は請求項２に記載の画像形成装置。
【請求項４】
前記比較部は、前記楽曲情報と前記歌詞情報の情報中、少なくともアルバム名・曲名又は作曲者名・歌手名又は作詞者名の３つの条件が一致した時を高信頼性と判断し、曲名又は作曲者名・歌手名又は作詞者名の２つの条件が一致した時を中信頼性と判断し、曲名又は作曲者名の１つの条件のみが一致した時を低信頼性と判断し、その判断結果を前記表示部に表示することを特徴とする請求項１乃至請求項３に記載の画像形成装置。
【請求項５】
カード又はスティック型の記憶媒体或いはデジタルオーディオプレーヤに記憶された情報を読み取る読取ステップと、該読取部で読み取った情報中に楽曲情報が含まれているか否かを識別する楽曲情報識別ステップと、識別した楽曲情報に基づいてネットワークを経由して歌詞情報を取得するダウンロードステップと、ダウンロードした歌詞情報と前記楽曲情報とに基づいて前記歌詞情報の信頼性を比較する比較ステップと、比較結果を表示する表示ステップと、比較結果に基づくユーザー操作が画像形成処理実行操作であった場合に前記歌詞情報に基づく歌詞の画像形成処理を実行する画像形成ステップと、をコンピュータで実行することを特徴とする画像形成プログラム。
【発明の詳細な説明】
【技術分野】
【０００１】
本発明は、特定歌詞に対する画像形成処理を実行する画像形成装置及び画像形成プログラムに関する。
【背景技術】
【０００２】
従来から、自身が購入したオーディオＣＤに含まれる楽曲データから、インターネット等のネットワーク回線を介してＷｅｂサイトにアクセスして、アルバム名・アーティスト名・曲名等のＣＤ情報を取得することができる。
【０００３】
このようなインターネット上のＷｅｂサイトにＣＤ情報が検索できるデータベース（ＣＤＤＢ；Ｃｏｍｐａｃｔ  Ｄｉｓｃ  Ｄａｔａ  Ｂａｓｅ）が公開されているので、それらを利用して、ＣＤの固有ＩＤを元に、著作権者名、音楽ＣＤの曲名、アーティスト名、アルバム名などの情報をインターネットから検索・受信できるようになっている。
【０００４】
同様に、ＭＰ３（ＭＰＥＧ１  Ｌａｙｅｒ  ３）関連では、各種リッパーソフトが対応していて、データベース情報を元に、「ＣＤ→ＭＰ３」変換時に「各トラックの曲名」「アーティスト名」などの情報をＭＰ３ファイルのＩＤ３タグに自動で入力させるソフトも多く公開されているので、それらを利用するシステムも構築されている。
【０００５】
そして、このようなデータベースに対応した音楽プレーヤであれば、音楽ＣＤをセットし、データベースにアクセスして検索させることで、アルバム名、アーティスト名、曲名等の情報からオーディオＣＤの歌詞カードの印刷を可能とした画像形成装置が知られている（例えば、特許文献１参照。）。
【特許文献１】特開２００３−２７１８３３号公報
【発明の開示】
【発明が解決しようとする課題】
【０００６】
ところが、上記の如く構成された画像形成装置にあっては、オーディオＣＤに含まれる楽曲データにのみ対応しており、近年のような比較的古いオーディオＣＤに含まれる楽曲データやポータブル音楽サイトからダウンロード購入した楽曲データを、ＭＰ３プレーヤやデジタルオーディオプレーヤ等に内蔵の記憶媒体に記憶したものから歌詞カードの印刷を行うことはできないといった問題が生じていた。
【０００７】
この際、例えば、比較的古いオーディオＣＤに含まれる楽曲データでは歌詞情報が公開されていない場合であっても、例えば、同一アーティストによるベストアルバム作成や他のアーティストによるリバイバル等、同一楽曲（同一歌詞）を利用することで所望の歌詞を取得し得るといったことが考えられる。
【０００８】
尚、上述したＭＰ３プレーヤやデジタルオーディオプレーヤ等に内蔵の記憶媒体としては、カードタイプやスティックタイプの着脱可能なものの他、ＵＳＢケーブルを利用して接続することで記憶媒体とアクセスすることが可能なもの等がある。
【０００９】
そこで、本発明は、上記事情を考慮し、オーディオＣＤ以外のメディアに記憶された楽曲情報に基づいて歌詞カードの画像形成処理を可能とし得て、しかも、楽曲情報が完全に一致しない場合であっても歌詞カードの画像形成処理をユーザーの選択によって画像形成処理することができる画像形成装置を提供することを目的とする。
【課題を解決するための手段】
【００１０】
本発明の画像形成装置は、ネットワーク接続のためのインターフェース部と、カード又はスティック型の記憶媒体或いはデジタルオーディオプレーヤに記憶された情報を読み取る読取部と、該読取部で読み取った情報中に楽曲情報が含まれているか否かを識別する楽曲情報識別部と、該楽曲情報識別部で識別した楽曲情報に基づいて前記ネットワークを経由して歌詞情報を取得するダウンロード部と、該ダウンロード部でダウンロードした歌詞情報と前記楽曲情報とに基づいて前記歌詞情報の信頼性を比較する比較部と、該比較部での比較結果を表示する表示部と、該表示部で表示された比較結果に基づいてユーザー操作される操作部と、該操作部の操作結果に基づいて前記歌詞情報に基づく歌詞の画像形成処理を実行する画像形成部とを備えていることを特徴とする。
【００１１】
この際、前記表示部に、前記比較結果を表示した後の前記歌詞情報の一部を表示可能とするのが好ましい。
【００１２】
また、前記歌詞情報は再利用等を考慮して記憶部に記憶可能であることが好ましい。
【００１３】
さらに、前記比較部は、前記楽曲情報と前記歌詞情報の情報中、少なくともアルバム名・曲名又は作曲者名・歌手名又は作詞者名の３つの条件が一致した時を高信頼性と判断し、曲名又は作曲者名・歌手名又は作詞者名の２つの条件が一致した時を中信頼性と判断し、曲名又は作曲者名の１つの条件のみが一致した時を低信頼性と判断し、その判断結果を前記表示部に表示するのが好ましい。
【００１４】
また、本発明の画像形成プログラムは、カード又はスティック型の記憶媒体或いはデジタルオーディオプレーヤに記憶された情報を読み取る読取ステップと、該読取部で読み取った情報中に楽曲情報が含まれているか否かを識別する楽曲情報識別ステップと、識別した楽曲情報に基づいてネットワークを経由して歌詞情報を取得するダウンロードステップと、ダウンロードした歌詞情報と前記楽曲情報とに基づいて前記歌詞情報の信頼性を比較する比較ステップと、比較結果を表示する表示ステップと、比較結果に基づくユーザー操作が画像形成処理実行操作であった場合に前記歌詞情報に基づく歌詞の画像形成処理を実行する画像形成ステップと、をコンピュータで実行することを特徴とする。
【発明の効果】
【００１５】
本発明の画像形成装置は、オーディオＣＤ以外のメディアに記憶された楽曲情報に基づいて歌詞カードの画像形成処理を可能とし得て、しかも、楽曲情報が完全に一致しない場合であっても歌詞カードの画像形成処理をユーザーの選択によって画像形成処理することができる。
【発明を実施するための最良の形態】
【００１６】
次に、本発明の一実施形態に係る画像形成装置について、図面を参照して説明する。
【００１７】
図１は本発明の一実施形態に係る画像形成装置のネットワーク接続例の説明図、図２は本発明の一実施形態に係る画像形成装置の要部のブロック図、図３は本発明の一実施形態に係る画像形成装置の画像処理ルーチンのフロー図である。
【００１８】
図１に示すように、本発明の一実施形態に係る画像形成装置１は、複数のパーソナルコンピュータ２とネットワーク回線３を介して接続されていると共に、ネットワークサーバー４並びにルータ５を介してインターネット回線６とも接続されている。
【００１９】
尚、ネットワーク回線３に接続されたパーソナルコンピュータ２の台数は特に限定されるものではなく、また、パーソナルコンピュータ２との接続はＵＳＢケーブルやシリアルケーブル（共に図示せず）等のケーブル接続であっても構わない。
【００２０】
画像形成装置１は、本実施の形態ではプリンタ専用機として図示しているが、複写機・ファクシミリ、或いは、プリンタ機能・複写機能・ファクシミリ機能等を備えた複合機等であっても構わず、少なくとも、インターネット回線６を利用して後述する歌詞情報を取得することができる画像形成装置全般に適用することができる。
【００２１】
また、画像形成装置１は、表示部７、操作部８、カードタイプやスティックタイプのメディア（例えば、メモリースティック、メモリースティックＰＲＯ、マルチメディアカード（登録商標）、ＳＤメモリーカード、スマートメディア（登録商標）、ＵＳＢメモリカード等）の記憶媒体９の挿入口（或いは、ＭＰ３プレーヤ・デジタルオーディオプレーヤやＵＳＢメモリスティック用のＵＳＢ接続ポート）１０が設けられている。
【００２２】
さらに、画像形成装置１は、図２に示すように、その内部に、ネットワーク回線３との接続のためのインターフェース部１１、上述した記憶媒体９等に記憶された情報の読取部１２、画像形成装置１の制御プログラムを記憶したＲＯＭ１３、画像形成装置１の画像形成処理のための一時設定情報（例えば、縮小・拡大率等）を記憶するＲＡＭ１４、画像形成処理のための画像データ等を記憶する大容量記憶部（ＨＤＤ等）１５、画像形成処理のための画像形成部１６、これらを制御する制御回路部（ＣＰＵ）１７を備えている。
【００２３】
尚、ＲＯＭ１３には、本発明の歌詞カード印刷のための画像形成プログラムも格納されており、この印刷制御プリグラムを実行する制御回路部１７とでマイクロコンピュータを構成している。
【００２４】
次に、本発明の歌詞カード印刷に係わる制御回路部１７の制御による画像形成処理ルーチンを図３のフロー図を参照しつつ説明する。
【００２５】
（ステップＳ１）
ステップＳ１では、制御回路部１７は、挿入口１０に記憶媒体（カード）９が差し込まれたか否かが監視され、記憶媒体９が差し込まれた場合にステップＳ２へと移行し、記憶媒体９が差し込まれていない場合には引き続きこのルーチンを監視する。尚、この記憶媒体９が差し込まれていない状態では、例えば、パーソナルコンピュータ２から出力された印刷データに基づく画像形成処理の実行が可能である。
【００２６】
（ステップＳ２）
ステップＳ２では、制御回路部１７は、挿入口１０に差し込まれた記憶媒体９に格納されたデータを読取部１２で読み取ってステップＳ３へと移行する。
【００２７】
（ステップＳ３）
ステップＳ３では、制御回路部１７は、記憶媒体９に格納されたデータに、例えば、ＭＰ３ファイルのＩＤ３タグを含む楽曲情報が含まれているか否かが識別され、その楽曲情報が含まれていない場合にはインターネット回線６を利用した歌詞情報の取得が困難であるとしてその旨を表示部７に表示して（ステップＳ９）ルーチンを終了する。また、その楽曲情報が含まれている場合には、ステップＳ４へと移行する。
【００２８】
（ステップＳ４）
ステップＳ４では、制御回路部１７は、インターネット上に公開されている歌詞情報に関するデータベースを検索してステップＳ５へと移行する。
【００２９】
（ステップＳ５）
ステップＳ５では、制御回路部１７は、インターネット上に公開されている歌詞情報と記憶媒体９に格納されたデータに含まれるＩＤ３タグの楽曲情報とを比較し、少なくとも、アルバム名・曲名（又は作曲者名）・歌手名（又は作詞者名）の３つの条件が一致するものがあるか否かが判断され、３つの条件を含む歌詞情報がインターネット上にある場合にはステップＳ８へと移行し、３つの条件を含む歌詞情報がインターネット上にない場合にはステップＳ６へと移行する。
【００３０】
（ステップＳ６）
ステップＳ６では、制御回路部１７は、インターネット上に公開されている歌詞情報と記憶媒体９に格納されたデータに含まれるＩＤ３タグの楽曲情報とを比較し、曲名（又は作曲者名）・歌手名（又は作詞者名）の２つの条件が一致するものがあるか否かが判断され、２つの条件を含む歌詞情報がインターネット上にある場合にはステップＳ８へと移行し、２つの条件を含む歌詞情報がインターネット上にない場合にはステップＳ７へと移行する。
【００３１】
（ステップＳ７）
ステップＳ７では、制御回路部１７は、インターネット上に公開されている歌詞情報と記憶媒体９に格納されたデータに含まれるＩＤ３タグの楽曲情報とを比較し、曲名（又は作曲者名）の１つの条件が一致するものがあるか否かが判断され、１つの条件を含む歌詞情報がインターネット上にある場合にはステップＳ８へと移行し、１つの条件を含む歌詞情報がインターネット上にない場合には、その旨（曲名又は作曲者名・歌手名又は作詞者名の２つの条件が一致した時を中信頼性と判断し、曲名又は作曲者名の何れも一致するデータがインターネット上に公開されていない旨）を表示部７に表示して（ステップＳ９）ルーチンを終了する。
【００３２】
（ステップＳ８）
ステップＳ８では、制御回路部１７は、各ステップＳ５，Ｓ６，Ｓ７の比較結果に対応した検索結果を表示部７に表示すると共にインターネット上から歌詞に関するデータを取得し、その歌詞に関するデータをＲＡＭ１４に記憶すると共に画像形成処理用データに変換して大容量記憶部１５に記憶してステップＳ１０へと移行する。
【００３３】
（ステップＳ１０）
ステップＳ１０では、制御回路部１７は、例えば、ステップＳ８による表示部７での検索結果表示から所定時間（例えば、３秒間や歌詞に関するデータダウンロード時間）経過後、表示部７にイントロ部分等の歌詞を表示するか否かを表示し、ユーザーによる操作部８を利用したイントロ表示の有無の操作を待機し、イントロ表示を必要とする旨の操作があった場合にはステップＳ１１へと移行し、イントロ表示を不要とする操作があった場合（又は所定時間操作がない場合）にはステップＳ１２へと移行する。
【００３４】
（ステップＳ１１）
ステップＳ１１では、制御回路部１７は、表示部７にダウンロードした歌詞のイントロ部分等を表示してステップＳ１２へと移行する。
【００３５】
（ステップＳ１２）
ステップＳ１２では、制御回路部１７は、操作部８を利用した画像形成処理実行又はキャンセル操作を待機し、画像形成処理実行操作がなされた場合にはステップＳ１３へと移行し、キャンセル操作がなされた場合にはルーチンを終了する。
【００３６】
（ステップＳ１３）
ステップＳ１３では、制御回路部１７は、画像形成処理用データに変換した状態で大容量記憶部１５に記憶した歌詞に関するデータを利用して画像形成部１６で歌詞カードとして画像形成処理して本発明のルーチンを終了する。
【００３７】
尚、ステップＳ１０，Ｓ１１のルーチンは無くても良いし、ステップＳ７を経由した場合のみ、或いは、ステップＳ６又はステップＳ７を経由した場合にのみ移行しても良い。また、ＲＡＭ１４や大容量記憶部１５に記憶した歌詞に関するデータは、画像形成処理後に消去しても良いし、例えば、ステップＳ１２以降に保存するか否かをユーザーに問い合わせて保存しても良い。
【００３８】
このように、本発明の画像形成装置１によれば、少なくともアルバム名・曲名又は作曲者名・歌手名又は作詞者名の３つの条件が一致した時を高信頼性と判断し、曲名又は作曲者名・歌手名又は作詞者名の２つの条件が一致した時を中信頼性と判断し、曲名又は作曲者名の１つの条件のみが一致した時を低信頼性と判断し、その判断結果を表示部７に表示することにより、完全に一致した信頼性の高い歌詞は勿論、例えば、記憶媒体９に格納した楽曲が古いなどの理由により、アルバム名が異なっているものの同一アーティストによるベストアルバム作成等によって同一の歌詞を取得することが可能であるな場合や、アルバム名や歌手名が異なっているものの他のアーティストによるリバイバル等によって同一の歌詞を取得することが可能である場合には、その同一楽曲（同一歌詞）を利用することで所望の歌詞カードを作成することができる。
【図面の簡単な説明】
【００３９】
【図１】本発明の一実施形態に係る画像形成装置のネットワーク接続例の説明図である。
【図２】本発明の一実施形態に係る画像形成装置の要部のブロック図である。
【図３】本発明の一実施形態に係る画像形成装置の画像処理ルーチンのフロー図である。
【符号の説明】
【００４０】
１…画像形成装置
７…表示部
８…操作部
１１…インターフェース部
１２…読取部
１６…画像形成部
１７…制御回路部（楽曲情報識別部・ダウンロード部・比較部）
【図１】
2008256887.tif 000003
【図２】
2008256887.tif 000004
【図３】
2008256887.tif 000005